(57)【要約】【課題】遊技客の利便性を向上させることを課題とする。【解決手段】ＣＲユニット３０は、１枚目のプリペイドカードの残金額が所定値（例えば、ＣＲパチンコ機４０の玉投出機構における最小投出数に相当する金額）未満である場合には、１枚目のプリペイドカードの残金額を２枚目のプリペイドカードに合算して移行する価値付けを行い、２枚目のプリペイドカードをカード収納部３６に受け入れ、一方、１枚目のプリペイドカードの残金額が所定値以上である場合には、２枚目のプリペイドカードの受入を拒否し、２枚目のプリペイドカードをカード挿入口３０９から返却（排出）する。【選択図】        図２
2008279091.tif 000002
【特許請求の範囲】
【請求項１】
挿入操作を受け付けた遊技用記録媒体から識別情報を読み取る読取部と、前記遊技用記録媒体を収納する収納部とを有し、前記読取部によって読み取られた識別情報から得られる遊技用記録媒体の有価価値の残額に基づいて遊技媒体の貸出処理を行う遊技媒体貸出機であって、
前記有価価値の残額が存在する第１の遊技用記録媒体を前記収納部に受け入れている状態で、新たに第２の遊技用記録媒体の挿入操作を受け付けた場合に、前記第１の遊技用記録媒体の有価価値の残額が所定値未満であるか否かを判定する閾値可否判定手段と、
前記閾値可否判定手段によって前記所定値未満であると判定された場合に、前記第１の遊技用記録媒体に価値付けられている有価価値の残額を前記第２の遊技用記録媒体に合算して移行する価値付けを行う残額移行価値付け手段と
前記残額移行価値付け手段によって前記第２の遊技用記録媒体への残額移行価値付けが行われた場合には、当該挿入操作を受け付けた第２の遊技用記録媒体を前記収納部に受け入れる受入制御を行い、前記閾値可否判定手段によって前記第１の遊技用記録媒体が前記所定値以上であると判定された場合には、前記第２の遊技用記録媒体を排出する排出制御を行う受入／排出制御手段と
を備えたことを特徴とする遊技媒体貸出機。
【請求項２】
前記第１の遊技用記録媒体が会員用記録媒体であるか否かを判定する記録媒体種別判定手段をさらに備え、
前記残額移行価値付け手段は、前記閾値可否判定手段によって前記第１の遊技用記録媒体が前記所定値未満であると判定され、かつ前記記録媒体種別判定手段によって前記第１の遊技用記録媒体が前記会員用記録媒体ではないと判定された場合にのみ前記第２の遊技用記録媒体への残額移行価値付けを行うことを特徴とする請求項１に記載の遊技媒体貸出機。
【請求項３】
遊技場にて使用される遊技用記録媒体に記録された識別情報に対応する有価価値を管理する管理装置と、挿入操作を受け付けた遊技用記録媒体から識別情報を読み取る読取部ならびに前記遊技用記録媒体を収納する収納部とを有し、前記読取部によって読み取られた識別情報から得られる遊技用記録媒体の有価価値の残額に基づいて遊技媒体の貸出処理を行う遊技媒体貸出機とを有する遊技媒体貸出システムであって、
前記遊技媒体貸出機は、
前記有価価値の残額が存在する第１の遊技用記録媒体を前記収納部に受け入れている状態で、新たに第２の遊技用記録媒体の挿入操作を受け付けた場合に、前記第１の遊技用記録媒体の有価価値の残額が所定値未満であるか否かを判定する閾値可否判定手段と、
前記閾値可否判定手段によって前記第１の遊技用記録媒体が前記所定値未満であると判定された場合には、当該挿入操作を受け付けた第２の遊技用記録媒体を前記収納部に受け入れる受入制御を行い、前記第１の遊技用記録媒体が前記所定値以上であると判定された場合には、前記第２の遊技用記録媒体を排出する排出制御を行う受入／排出制御手段とを備え、
前記管理装置は、
前記閾値可否判定手段によって前記所定値未満であると判定された場合に、前記第１の遊技用記録媒体に価値付けられている有価価値の残額を前記第２の遊技用記録媒体の識別情報に対応する有価価値に合算して移行する残額移行手段を備えた
ことを特徴とする遊技媒体貸出システム。
【請求項４】
前記遊技用記録媒体は、当該遊技用記録媒体に価値付けられた有価価値に基づいて貨幣を払出す記録媒体精算機により現金に精算されるものであり、
前記遊技媒体の貸出処理は、当該遊技媒体貸出機に接続されるＣＲ遊技機に対して前記遊技媒体の貸出指示を行い、該ＣＲ遊技機の遊技媒体投出機構から貸し遊技媒体を投出させる処理であって、
前記管理装置は、
前記記録媒体精算機にて取扱い可能な金額、前記ＣＲ遊技機における遊技媒体投出機構の最小投出単位に相当する金額および／または所定の小額貨幣の金額を設定値として記憶する第１の設定値記憶手段と、
前記第１の設定値記憶手段によって記憶された設定値のうちいずれか１つの設定値を選択する設定値選択手段と、
前記設定値選択手段によって選択された設定値を前記遊技媒体貸出機に配信する設定値配信手段とをさらに備え、
前記遊技媒体貸出機は、
前記設定値配信手段によって配信された設定値を記憶する第２の設定値記憶手段をさらに備え、
前記閾値可否判定手段は、前記第１の遊技用記録媒体の有価価値の残額が、前記第２の設定値記憶手段によって記憶された設定値未満であるか否かを判定することを特徴とする請求項３に記載の遊技媒体貸出システム。
【請求項５】
挿入操作を受け付けた遊技用記録媒体から識別情報を読み取る読取部と、前記遊技用記録媒体を収納する収納部とを有し、前記読取部によって読み取られた識別情報から得られる遊技用記録媒体の有価価値の残額に基づいて遊技媒体の貸出処理を行う遊技媒体貸出機に用いる残額移行方法であって、
前記有価価値の残額が存在する第１の遊技用記録媒体を前記収納部に受け入れている状態で、新たに第２の遊技用記録媒体の挿入操作を受け付けた場合に、前記第１の遊技用記録媒体の有価価値の残額が所定値未満であるか否かを判定する閾値可否判定工程と、
前記閾値可否判定工程によって前記所定値未満であると判定された場合に、前記第１の遊技用記録媒体に価値付けられている有価価値の残額を前記第２の遊技用記録媒体に合算して移行する価値付けを行う残額移行価値付け工程と
前記残額移行価値付け工程によって前記第２の遊技用記録媒体への残額移行価値付けが行われた場合には、当該挿入操作を受け付けた第２の遊技用記録媒体を前記収納部に受け入れる受入制御を行い、前記閾値可否判定工程によって前記第１の遊技用記録媒体が前記所定値以上であると判定された場合には、前記第２の遊技用記録媒体を排出する排出制御を行う受入／排出制御工程と、
を含んだことを特徴とする遊技媒体貸出機に用いる残額移行方法。
【発明の詳細な説明】
【技術分野】
【０００１】
本発明は、挿入操作を受け付けた遊技用記録媒体から識別情報を読み取る読取部と、遊技用記録媒体を収納する収納部とを有し、読取部によって読み取られた識別情報から得られる遊技用記録媒体の有価価値の残額に基づいて遊技媒体の貸出処理を行う遊技媒体貸出機、遊技媒体貸出システム及び遊技媒体貸出機に用いる残額移行方法に関する。
【背景技術】
【０００２】
従来、パチンコ玉やメダルなどの遊技媒体を貸し出す遊技媒体貸出機として、投入された遊技用記録媒体の価値（例えば、貨幣の金額または金額に相当する価値を示す価値データ）に基づいて遊技媒体を貸し出すカード処理ユニット（以下、ＣＲユニットと称す）がよく知られている（例えば、特許文献１参照。）。
【０００３】
かかるＣＲユニットは、カードリーダにて読取り対象のプリペイドカード１枚を一時的に保持し、カード収納部にて残額がないプリペイドカードを発行用カードとして最大１０枚収納するとともに、使用中のプリペイドカードを一時的に収納することができるように構成されている。なお、かかるＣＲユニットでは、残額が存在するプリペイドカードを受け入れている場合には、新たに別のプリペイドカードの挿入操作を受け付けてもその挿入カードを使用することはできない。
【０００４】
【特許文献１】特開２００４−２２２９７９号公報
【発明の開示】
【発明が解決しようとする課題】
【０００５】
ところで、遊技媒体の貸出しに課される消費税は、ホール（遊技店）側が負担しているのが現状であるが、将来的には、消費税が増税される傾向にあることから、遊技媒体の貸出しに課される消費税を貸出対価に上乗せしてプリペイドカードの残額から徴収する消費税対応が考えられている。
【０００６】
このような消費税対応が行われると、遊技機の投出機構における最小投出数に相当する金額を下回る端数金額がプリペイドカードに残ることになるが、端数金額がプリペイドカードに残っていたとしても遊技媒体を借り受けることができないので、プリペイドカードをＣＲユニットに放置したまま遊技席を離席する遊技客が多数出てくることが考えられる。例えば、ＣＲパチンコ機においては、パチンコ玉投出機構の最小投出数は「２５個（＝１００円）」であり、少なくとも、これに消費税、たとえば「５％」を乗じた「１０５（円）」がプリペイドカードの残額に残っていないとパチンコ玉の払出しを行うことができない。
【０００７】
このため、上記したＣＲユニット（特許文献１）では、かかる端数金額もしくはそれに準ずる小額が残ったプリペイドカードの返却操作を行って返却を受けなければ、新たなプリペイドカードを挿入することができず、遊技客が遊技媒体を借受けるのに余計な手間が必要となり、遊技客の利便性を損なうという問題がある。
【０００８】
そこで、本発明は、上述した従来技術による課題（問題点）を解消するためになされたものであり、新たなプリペイドカード（２枚目のプリペイドカード）の挿入操作を簡便にし、もって遊技客の利便性を向上させることができる遊技媒体貸出機、遊技媒体貸出システム及び遊技媒体貸出機に用いる残額移行方法を提供することを目的とする。
【課題を解決するための手段】
【０００９】
上述した課題を解決し、目的を達成するために、請求項１の発明に係る遊技媒体貸出機は、挿入操作を受け付けた遊技用記録媒体から識別情報を読み取る読取部と、前記遊技用記録媒体を収納する収納部とを有し、前記読取部によって読み取られた識別情報から得られる遊技用記録媒体の有価価値の残額に基づいて遊技媒体の貸出処理を行う遊技媒体貸出機であって、前記有価価値の残額が存在する第１の遊技用記録媒体を前記収納部に受け入れている状態で、新たに第２の遊技用記録媒体の挿入操作を受け付けた場合に、前記第１の遊技用記録媒体の有価価値の残額が所定値未満であるか否かを判定する閾値可否判定手段と、前記閾値可否判定手段によって前記所定値未満であると判定された場合に、前記第１の遊技用記録媒体に価値付けられている有価価値の残額を前記第２の遊技用記録媒体に合算して移行する価値付けを行う残額移行価値付け手段と前記残額移行価値付け手段によって前記第２の遊技用記録媒体への残額移行価値付けが行われた場合には、当該挿入操作を受け付けた第２の遊技用記録媒体を前記収納部に受け入れる受入制御を行い、前記閾値可否判定手段によって前記第１の遊技用記録媒体が前記所定値以上であると判定された場合には、前記第２の遊技用記録媒体を排出する排出制御を行う受入／排出制御手段とを備えたことを特徴とする。
【００１０】
また、請求項２の発明に係る遊技媒体貸出機は、上記の発明において、前記第１の遊技用記録媒体が会員用記録媒体であるか否かを判定する記録媒体種別判定手段をさらに備え、前記残額移行価値付け手段は、前記閾値可否判定手段によって前記第１の遊技用記録媒体が前記所定値未満であると判定され、かつ前記記録媒体種別判定手段によって前記第１の遊技用記録媒体が前記会員用記録媒体ではないと判定された場合にのみ前記第２の遊技用記録媒体への残額移行価値付けを行うことを特徴とする。
【００１１】
また、請求項３の発明に係る遊技媒体貸出システムは、遊技場にて使用される遊技用記録媒体に記録された識別情報に対応する有価価値を管理する管理装置と、挿入操作を受け付けた遊技用記録媒体から識別情報を読み取る読取部ならびに前記遊技用記録媒体を収納する収納部とを有し、前記読取部によって読み取られた識別情報から得られる遊技用記録媒体の有価価値の残額に基づいて遊技媒体の貸出処理を行う遊技媒体貸出機とを有する遊技媒体貸出システムであって、前記遊技媒体貸出機は、前記有価価値の残額が存在する第１の遊技用記録媒体を前記収納部に受け入れている状態で、新たに第２の遊技用記録媒体の挿入操作を受け付けた場合に、前記第１の遊技用記録媒体の有価価値の残額が所定値未満であるか否かを判定する閾値可否判定手段と、前記閾値可否判定手段によって前記第１の遊技用記録媒体が前記所定値未満であると判定された場合には、当該挿入操作を受け付けた第２の遊技用記録媒体を前記収納部に受け入れる受入制御を行い、前記第１の遊技用記録媒体が前記所定値以上であると判定された場合には、前記第２の遊技用記録媒体を排出する排出制御を行う受入／排出制御手段とを備え、前記管理装置は、前記閾値可否判定手段によって前記所定値未満であると判定された場合に、前記第１の遊技用記録媒体に価値付けられている有価価値の残額を前記第２の遊技用記録媒体の識別情報に対応する有価価値に合算して移行する残額移行手段を備えたことを特徴とする。
【００１２】
また、請求項４の発明に係る遊技媒体貸出システムは、上記の発明において、前記遊技用記録媒体は、当該遊技用記録媒体に価値付けられた有価価値に基づいて貨幣を払出す記録媒体精算機により現金に精算されるものであり、前記遊技媒体の貸出処理は、当該遊技媒体貸出機に接続されるＣＲ遊技機に対して前記遊技媒体の貸出指示を行い、該ＣＲ遊技機の遊技媒体投出機構から貸し遊技媒体を投出させる処理であって、前記管理装置は、前記記録媒体精算機にて取扱い可能な金額、前記ＣＲ遊技機における遊技媒体投出機構の最小投出単位に相当する金額および／または所定の小額貨幣の金額を設定値として記憶する第１の設定値記憶手段と、前記第１の設定値記憶手段によって記憶された設定値のうちいずれか１つの設定値を選択する設定値選択手段と、前記設定値選択手段によって選択された設定値を前記遊技媒体貸出機に配信する設定値配信手段とをさらに備え、前記遊技媒体貸出機は、前記設定値配信手段によって配信された設定値を記憶する第２の設定値記憶手段をさらに備え、前記閾値可否判定手段は、前記第１の遊技用記録媒体の有価価値の残額が、前記第２の設定値記憶手段によって記憶された設定値未満であるか否かを判定することを特徴とする。
【００１３】
また、請求項５の発明に係る遊技媒体貸出機に用いる残額移行方法は、挿入操作を受け付けた遊技用記録媒体から識別情報を読み取る読取部と、前記遊技用記録媒体を収納する収納部とを有し、前記読取部によって読み取られた識別情報から得られる遊技用記録媒体の有価価値の残額に基づいて遊技媒体の貸出処理を行う遊技媒体貸出機に用いる残額移行方法であって、前記有価価値の残額が存在する第１の遊技用記録媒体を前記収納部に受け入れている状態で、新たに第２の遊技用記録媒体の挿入操作を受け付けた場合に、前記第１の遊技用記録媒体の有価価値の残額が所定値未満であるか否かを判定する閾値可否判定工程と、前記閾値可否判定工程によって前記所定値未満であると判定された場合に、前記第１の遊技用記録媒体に価値付けられている有価価値の残額を前記第２の遊技用記録媒体に合算して移行する価値付けを行う残額移行価値付け工程と前記残額移行価値付け工程によって前記第２の遊技用記録媒体への残額移行価値付けが行われた場合には、当該挿入操作を受け付けた第２の遊技用記録媒体を前記収納部に受け入れる受入制御を行い、前記閾値可否判定工程によって前記第１の遊技用記録媒体が前記所定値以上であると判定された場合には、前記第２の遊技用記録媒体を排出する排出制御を行う受入／排出制御工程とを含んだことを特徴とする。
【発明の効果】
【００１４】
本発明によれば、有価価値の残額が存在する第１の遊技用記録媒体を収納部に受け入れている状態で、新たに第２の遊技用記録媒体の挿入操作を受け付けた場合に、第１の遊技用記録媒体の有価価値の残額が所定値未満であるか否かを判定し、前記所定値未満であると判定した場合に、第１の遊技用記録媒体に価値付けられている有価価値の残額を第２の遊技用記録媒体に合算して移行する価値付けを行い、第２の遊技用記録媒体への残額移行価値付けを行った場合には、当該挿入操作を受け付けた第２の遊技用記録媒体を収納部に受け入れる受入制御を行い、第１の遊技用記録媒体が前記所定値以上であると判定した場合には、第２の遊技用記録媒体を排出する排出制御を行うように構成したので、新たな遊技用記録媒体（第２の遊技用記録媒体）の挿入操作を簡便にすることができ、遊技客の利便性を向上させることが可能な遊技媒体貸出機、遊技媒体貸出システム及び遊技媒体貸出機に用いる残額移行方法が得られるという効果を奏する。
【００１５】
また、本発明によれば、第１の遊技用記録媒体が会員用記録媒体であるか否かを判定し、第１の遊技用記録媒体が所定値未満であると判定し、かつ第１の遊技用記録媒体が会員用記録媒体ではないと判定した場合にのみ第２の遊技用記録媒体への残額移行価値付けを行うように構成したので、第１の遊技用記録媒体が会員用記録媒体である場合に会員用記録媒体が収納部に回収される事態を防止することができ、会員用記録媒体の紛失という不利益を招くことなく、遊技客の利便性を向上させることが可能な遊技媒体貸出機が得られるという効果を奏する。
【００１６】
また、本発明によれば、管理装置が、記録媒体精算機にて取扱い可能な金額、ＣＲ遊技機における遊技媒体投出機構の最小投出単位に相当する金額および／または所定の小額貨幣の金額を設定値として記憶し、記憶した設定値のうちいずれか１つの設定値を選択し、選択した設定値を遊技媒体貸出機に配信し、遊技媒体貸出機が、配信された設定値を記憶し、第１の遊技用記録媒体の有価価値の残額が、記憶した設定値未満であるか否かを判定するように構成したので、店内設備や客層などの遊技店の特性に応じて遊技用記録媒体の受入条件を適切に変更することができ、遊技店の特性に適合した遊技用記録媒体の残額移行を行うことが可能な遊技媒体貸出システムが得られるという効果を奏する。
【発明を実施するための最良の形態】
【００１７】
以下の添付図面を参照して、本発明に係る遊技媒体貸出機（その残額移行方法）の好適な実施例を詳細に説明する。なお、以下では、本発明に係る遊技媒体貸出機（以下、「ＣＲユニット」と称す）を実施例１として説明した後に、本発明に含まれる他の実施例を実施例２として説明する。
【実施例１】
【００１８】
以下の実施例１では、本実施例１に係るＣＲユニットの概要および特徴、このＣＲユニットの構成および処理の流れを順に説明する。なお、本実施例１では、本発明をパチンコ遊技を対象とする遊技システムに適用することとする。
【００１９】
［概要および特徴（実施例１）］
まず最初に、図１及び図２を用いて、実施例１に係るＣＲユニットを含む遊技システムのシステム構成を説明し、この遊技システムにおけるＣＲユニットの位置付けを明確にしてから、実施例１に係るＣＲユニットの概要および特徴を説明する。図１は、実施例１に係る遊技システム１のシステム構成を示すシステム構成図であり、また、図２は、実施例１に係るＣＲユニット３０の特徴を説明するための概念図である。
【００２０】
図１に示すように、遊技店内に設置される遊技システム１は、プリペイドカードに関連付けられた金額の残額を管理するための管理装置（以下、プリペイドカード管理Ｔ／Ｃと称す）１０を頂点にして、会員管理を行うための管理装置（以下、会員管理Ｔ／Ｃと称す）１５、「島」と呼ばれるグループごとに設けられた島コントローラ２０、カード発行機６０及びカード精算機６５が接続された構成となる。さらに、島コントローラ２０には、各島に設置された複数のＣＲパチンコ機４０それぞれに併設されたＣＲユニット（カード処理ユニット）３０が接続されている。
【００２１】
この遊技システム１では、プリペイドカードＰＣ（ＣＲユニット３０又はカード発行機６０により遊技者に対して発行され、発行店の識別情報、カード固有の識別コード、発行額、カード種別などが記録される）を遊技用記録媒体として用いることができる。
【００２２】
ＣＲパチンコ機４０は、パチンコ玉を遊技領域に発射して遊技者が遊技を行う装置である。また、ＣＲユニット３０は、プリペイドカードＰＣに関連付けられた金額の残額（以下、残金額と言う）を上限としてパチンコ玉の貸出し処理を行うことを主機能とするものであり、遊技店に設置された複数のＣＲパチンコ機４０それぞれに対して１台ずつペアとなるように用意され、ＣＲパチンコ機４０の相互間に挟まれる形で設置してある。
【００２３】
また、ＣＲユニット３０は、遊技客の利便性を向上させる観点から、遊技客によって挿入された紙幣を受け入れた際に、内部のカード収納部３６にて収納する内蔵カードをプリペイドカードＰＣとして発行する機能が付加されており、このカード収納部３６は、内部収納容量として最大「１０枚」の内蔵カードを収納することができるように構成されている。なお、カード収納部３６には、金額が価値付けられていないプリペイドカードのみが収納されている。
【００２４】
カード発行機６０は、現金が入金された場合に、該入金金額に応じた有価価値が関連付けられるプリペイドカードＰＣの発行処理並びにプリペイドカードＰＣに関連付けられた金額に対する加算処理を主機能とするものであり、遊技店に数台設置されている。また、カード精算機６５は、プリペイドカードＰＣに関連付けられた残金額の精算処理を主機能とするものであり、具体的には、プリペイドカードＰＣの回収と引き換えに残金額に相当する現金を払出すものである。
【００２５】
遊技者は、カード発行機６０から発行されたプリペイドカードＰＣをＣＲユニット３０に挿入して、パチンコ玉の貸出操作を行うことに加え、ＣＲユニット３０に現金を投入することにより、ＣＲユニット単体でのプリペイドカードＰＣの発行を受けて、パチンコ玉を借り受けることができ、もってパチンコ遊技を行うことが可能となる。
【００２６】
これらのＣＲユニット３０、ＣＲパチンコ機４０及びカード発行機６０は、各島に設けた島コントローラ２０を通じてプリペイドカード管理Ｔ／Ｃ１０及び会員管理Ｔ／Ｃ１５と称される管理装置の制御下にある。
【００２７】
会員管理Ｔ／Ｃ１５は、遊技店に少なくとも１台設置してあり、設置した遊技店の統括管理、例えばカード管理、会員の管理、売上管理などを行うとともに、プリペイドカードＰＣ並びに会員カードＭＣの有価価値に関する情報を記憶管理する部分である。但し、プリペイドカードＰＣの情報管理は、プリペイドカード管理Ｔ／Ｃ１０が担っているものとする。
【００２８】
プリペイドカード管理Ｔ／Ｃ１０は、プリペイドカードの識別情報（プリペイドカードＩＤ）及びこのプリペイドカードの残金額を記憶管理する装置である。例えば、ＣＲユニット３０にて高額紙幣が挿入された場合には、ＣＲユニット３０から発行対象となる内蔵カードのプリペイドカードＩＤとともに挿入紙幣の金額を受け付け、当該プリペイドカードＩＤに挿入紙幣分の金額を価値付けた後、ＣＲユニット３０に「価値付け完了通知」を返信する。なお、本実施例では、カードに記録した磁気データを改ざんするなどの不正行為を防止する観点から、プリペイドカードには「金額」を記録せず、プリペイドカードＩＤのみを記録する構成を採用することとする。
【００２９】
ここで、かかる遊技システム１において、本実施例１に係るＣＲユニット３０は、挿入操作を受け付けたプリペイドカードからプリペイドカードＩＤを読み取るカードリーダ（Ｃ／Ｒ）３５と、プリペイドカードを収納するカード収納部３６とを有し、Ｃ／Ｒ３５によって読み取られたプリペイドカードＩＤから得られるプリペイドカードの残金額に基づいてパチンコ玉の貸出し処理を行うことを概要とし、新たなプリペイドカード（２枚目のプリペイドカード）の挿入操作を簡便にし、もって遊技客の利便性を向上させることを主たる特徴とする。
【００３０】
すなわち、実施例１に係るＣＲユニット３０では、カード収納部３６にて残額が存在する１枚目のプリペイドカードが既に保持されている状態で新たに２枚目のプリペイドカードの挿入操作を受け付ける状況に着目し、１枚目のプリペイドカードの残金額を２枚目のプリペイドカードに移行させるか否かを１枚目のプリペイドカードの残金額によって適切に決定している。なお、ここで言う「１枚目のプリペイドカード」及び「２枚目のプリペイドカード」は、特許請求の範囲における「第１の遊技用記録媒体」及び「第２の遊技用記録媒体」に相当する。
【００３１】
これを具体的に説明すると、かかるＣＲユニット３０では、カード収納部３６にて残額が存在する１枚目のプリペイドカードが既に保持されている状態で、新たに２枚目のプリペイドカードの挿入操作を受け付けると（１）、２枚目のプリペイドカードをＣ／Ｒ３５まで取り込んでおき、１枚目のプリペイドカードの残金額が所定値（例えば、ＣＲパチンコ機４０の玉投出機構における最小投出数に相当する金額「１０５円」）未満であるか否かを判定する（２）。
【００３２】
このとき、ＣＲユニット３０は、１枚目のプリペイドカードの残金額が所定値未満であると判定した場合には、１枚目のプリペイドカードの残金額を２枚目のプリペイドカードに合算して移行する価値付けを行う（３）とともに、２枚目のプリペイドカードをカード収納部３６に受け入れる（４）。なお、この場合、残額が移行されてゼロとなった１枚目のプリペイドカードは発行用のカードなる。
【００３３】
また、１枚目のプリペイドカードの残金額が所定値以上であると判定した場合には、２枚目のプリペイドカードの受入を拒否し、２枚目のプリペイドカードをカード挿入口から返却（排出）する（５）。
【００３４】
このように、１枚目のプリペイドカードの残金額が所定値（例えば、ＣＲパチンコ機４０の玉投出機構における最小投出数に相当する金額）未満である場合には、１枚目のプリペイドカードの残金額を２枚目のプリペイドカードに移行させることで、新たなプリペイドカード（２枚目のプリペイドカード）の挿入操作を簡便にしている。
【００３５】
したがって、上記した従来技術の例で言えば、カード収納部３６にて残額が存在する１枚目のプリペイドカードが既に保持されている状態で新たに２枚目のプリペイドカードの挿入操作を受け付けても２枚目のプリペイドカードの受入を画一的に拒否することで、端数金額もしくはそれに準ずる小額が残った１枚目のプリペイドカードの返却操作を行わせる手間を掛けるのではなく、１枚目のプリペイドカードの残金額が所定値未満である場合には、１枚目のプリペイドカードの残金額を２枚目のプリペイドカードに合算して移行する価値付けを行い、２枚目のプリペイドカードをカード収納部３６に受け入れることで、２枚目のプリペイドカードの挿入操作を簡便にすることができ、上記した主たる特徴のように、遊技客の利便性を向上させることが可能になる。
【００３６】
さらに、本実施例１に係るＣＲユニット３０によれば、１枚目のプリペイドカード及び２枚目のプリペイドカードの残金額を２枚目のプリペイドカードに合算して移行する価値付けを行うので、端数金額もしくはそれに準ずる小額が残った１枚目のプリペイドカードが破棄されることがなくなり、遊技店のプリペイドカードに係る設備投資費用を低減することが可能になる。
【００３７】
また、本実施例１に係るＣＲユニット３０によれば、１枚目のプリペイドカードの残金額が所定値以上であると判定した場合、すなわち１枚目のプリペイドカードの残金額が端数金額（＝小額）ではないと判定した場合には、２枚目のプリペイドカードの受入を拒否する排出制御を行うので、第三者が１枚目のプリペイドカードから多額な残額を抜き取る不正行為を防止することも可能になる。
【００３８】
［ＣＲユニット３０の構成］
続いて、実施例１に係るＣＲユニット３０の外観構成並びに内部構成を説明する。なお、ここでは、図３を用いて、実施例１に係るＣＲユニット３０の外観構成を説明してからこのＣＲユニット３０の内部構成を説明する。
【００３９】
図３は、実施例１に係るＣＲユニット３０の外観を示した正面図である。同図に示すように、このＣＲユニット３０は、縦長の直方体型の筐体として構成したもので、その本体部前面の上寄りには、下方に向かって順に、状態表示ランプ３０１、カード状態表示ＬＥＤ３０２、リモコン受光部３１０、入金可能表示ＬＥＤ３０３が付設されている。
【００４０】
状態表示ランプ３０１は、当該ＣＲユニット３０が運用可能であるか否かを点灯色の切換えによって表すランプであり、例えば、「緑点灯」により運用可能な旨を表し、「赤点灯」により運用不能な旨を表す。
【００４１】
カード状態表示ＬＥＤ３０２は、当該ＣＲユニット３０に内蔵するプリペイドカードの補充又は回収の要否を点灯／点滅によって表すＬＥＤであり、例えば、「点灯」によりプリペイドカードの補充が必要な旨を表し、「点滅」によりプリペイドカードの回収が必要な旨を表し、また、「消灯」によりプリペイドカードの補充及び回収が不要な旨を表す。
【００４２】
リモコン受光部３１０は、図示しない専用のリモコンから照射される赤外線を受光するものであり、リモコンから照射される赤外線を通じてＣＲユニット３０に対する各種操作（例えば、プリペイドカードの補充操作及び回収操作など）を受け付ける。
【００４３】
入金可能表示ＬＥＤ３０３は、当該ＣＲユニット３０に紙幣の入金が可能であるか否かを点灯／点滅によって表すＬＥＤであり、例えば、「点灯」により紙幣の入金が可能である旨を表し、また、「点滅」により紙幣の入金が不可能な旨を表す。
【００４４】
また、本体部前面の中央部には、高額紙幣（例えば、「一万円」、「五千円」や「二千円」など）を含む紙幣を挿入する紙幣投入口３０８、及び、プリペイドカードや会員カードなどの各種カードを挿入するカード挿入口３０９が設けられている。
【００４５】
さらに、本体部前面の下寄りには、下方に向かって順に、７ＳＥＧ表示部３０４、モード表示ＬＥＤ３０５、各種ボタン群、末尾同列に貸出ボタン３０６及び返却ボタン３０７が設けられている。
【００４６】
７ＳＥＧ表示部３０４は、７セグメントのＬＥＤから形成される表示部であり、当該ＣＲユニット３０のランニング表示を行うものである。例えば、挿入紙幣の金額、プリペイドカードの残金額、貯玉数、再プレイ回数やポイントを表示したり、或いは、専用のリモコンによってプリペイドカードの補充操作又は回収操作が行われている場合には、補充すべき枚数又は回収すべき枚数を表示したりする。
【００４７】
モード表示ＬＥＤ３０５は、７ＳＥＧ表示部３０４にてどのモードの情報が表示されているかを表示するものである。例えば、「残金額」、「貯玉数」、「再プレイ回数」または「ポイント」のうちいずれの情報を７ＳＥＧ表示部３０４に表示しているかを該当ランプを点灯させることで表す。
【００４８】
貸出ボタン３０６は、遊技客による玉貸し要求を受け付ける操作ボタンであり、この貸出ボタン３０６が押下されると後述する玉貸し処理部３９ａにて「玉貸し処理」が行われる。また、返却ボタン３０７は、遊技客によるプリペイドカードの返却要求を受け付ける操作ボタンであり、この返却ボタン３０７が押下されると挿入中のプリペイドカードがカード挿入口３０９から返却される。
【００４９】
次に、図４を用いて、図３に示したＣＲユニット３０の内部構成について説明する。図４は、実施例１に係るＣＲユニット３０の内部構成を示すブロック図である。図４に示すように、このＣＲユニット３０は、操作部３１と、表示部３２と、通信制御ＩＦ部３３と、ＢＶユニット部３４と、カードリーダ（Ｃ／Ｒ）３５と、カード収納部３６と、搬送／繰出機構部３７と、記憶部３８と、制御部３９とを備える。
【００５０】
操作部３１は、各種ボタン群、貸出ボタン３０６及び返却ボタン３０７などの総称であり、また、表示部３２は、図３に示した状態表示ランプ３０１、カード状態表示ＬＥＤ３０２、入金可能表示ＬＥＤ３０３、７ＳＥＧ表示部３０４及びモード表示ＬＥＤ３０５などの総称である。
【００５１】
通信制御ＩＦ部３３は、当該ＣＲユニット３０と他の装置（例えば、プリペイドカード管理Ｔ／Ｃ１０、会員管理Ｔ／Ｃ１５、島コントローラ２０およびＣＲパチンコ機４０などの装置）の間で各種通信の制御を行う処理部である。
【００５２】
ＢＶユニット部３４は、紙幣投入口３０８に挿入された紙幣の金種を識別する紙幣識別機であり、識別した挿入紙幣の金種を制御部３９に出力する。なお、挿入紙幣が偽造紙幣である場合には、当該紙幣を返却する。
【００５３】
カードリーダ（Ｃ／Ｒ）３５は、カード挿入口３０９に挿入されたプリペイドカードや会員カードなどの各種カードに記録された情報を読み込むカードリーダであり、具体的には、これら各種カードからプリペイドカードの識別情報や会員カードの識別情報を読み込み、該読み込んだ情報を制御部３９に出力する。
【００５４】
カード収納部３６は、金額が価値付けられていないプリペイドカードを収納する収納部であり、遊技客がプリペイドカードを持参していなくとも現金により遊技可能にするため、事前に複数枚のプリペイドカードを収納したものである。例えば、遊技客によって紙幣が挿入されると、複数枚のプリペイドカードうちの一枚がＣ／Ｒ３５の位置に繰り出され、現金による金額関連付けの対象とされる。
【００５５】
搬送／繰出機構部３７は、各種カードの搬送／繰出を行う機構部である。具体的には、カード挿入口３０９から挿入されたプリペイドカードをＣ／Ｒ３５に搬送したり、Ｃ／Ｒ３５に保持されたプリペイドカードをカード収納部３６に搬送（収納）したり（図５−２参照）、また、カード収納部３６に収納された内蔵プリペイドカードをＣ／Ｒ３５に繰出したり、Ｃ／Ｒ３５に保持されたプリペイドカードをカード挿入口３０９に繰出（排出）したりする（図５−１参照）。
【００５６】
記憶部３８は、制御部３９による各種処理に必要なデータおよびプログラムを格納する格納手段（記憶手段）であり、本発明に関連する情報として、後述する閾値可否判定部３９ｂにて比較値として用いる設定値情報３８ａを記憶している。なお、本実施例１では、この設定値情報３８ａとして、ＣＲパチンコ機４０の玉投出機構における最小投出数「２５個（＝１００円）」に消費税「５％」を乗じた金額「１０５円」がプリペイドカード管理Ｔ／Ｃ１０から起動時に通知されることとする。
【００５７】
制御部３９は、ＣＲユニット３０の全体制御を司る制御部であり、特に本発明に密接に関連するものとしては、玉貸し処理部３９ａ、閾値可否判定部３９ｂ、記録媒体種別判定部３９ｃ及び残額移行価値付け部３９ｄを備える。
【００５８】
このうち、玉貸し処理部３９ａは、パチンコ玉を貸出す「玉貸し処理」を行う処理部である。具体的には、残金額が存在するプリペイドカードが挿入された状態で、貸出ボタン３０６の押下を受け付けた場合に、ＣＲパチンコ機４０に玉貸し指示を行ってＣＲパチンコ機４０内部の玉投出機構から所定金額（例えば、１０５０円）分のパチンコ玉「２５０個」を投出させる。
【００５９】
閾値可否判定部３９ｂは、カード収納部３６にて残額が存在する１枚目のプリペイドカードが既に保持されている状態で、新たに２枚目のプリペイドカードの挿入操作を受け付けた場合に、１枚目のプリペイドカードの残金額が所定値未満であるか否かを判定する処理部である。具体的には、１枚目のプリペイドカードの残金額が記憶部３８に記憶された設定値「１０５円」未満であるか否かを判定する。
【００６０】
記録媒体種別判定部３９ｃは、カード収納部３６にて受入中のプリペイドカードのカード種別が会員カードであるか否かを判定する処理部である。具体的には、１枚目のプリペイドカードのプリペイドカードＩＤが会員管理Ｔ／Ｃ１５に登録されているか否かを照査し、会員管理Ｔ／Ｃ１５に登録されていれば、１枚目のプリペイドカードが「会員カード」であると判定し、また、会員管理Ｔ／Ｃ１５に登録されていなければ、１枚目のプリペイドカードが「会員カード」ではないと判定し、その場合には、残額移行価値付け部３９ｄに後述する「残額移行価値付け処理」を要請する。
【００６１】
残額移行価値付け部３９ｄは、１枚目のプリペイドカードに価値付けられている残金額を２枚目のプリペイドカードに合算して移行する価値付けを行う処理部である。具体的には、閾値可否判定部３９ｂによって１枚目のプリペイドカードの残金額が「１０５円」未満であると判定され、かつ記録媒体種別判定部３９ｃによって１枚目のプリペイドカードのカード種別が「会員カード」ではないと判定された場合に、１枚目のプリペイドカードのプリペイドカードＩＤに対応する残金額を２枚目のプリペイドカードのプリペイドカードＩＤに対応する残金額に合算して移行するようにプリペイドカード管理Ｔ／Ｃ１０に依頼する。
【００６２】
このように、１枚目のプリペイドカードのカード種別が「会員カード」ではない場合にしか、１枚目のプリペイドカードの残金額を２枚目のプリペイドカードに合算して移行する価値付けを行わないので、１枚目のプリペイドカードが「会員カード」である場合にカード収納部３６に回収される事態を防止することができる。
【００６３】
［処理の流れ］
次に、本実施例１に係るＣＲユニット３０の各種処理の流れを説明する。なお、ここでは、ＣＲユニット３０にて行われる（１）基本制御処理を説明してから、本発明の特徴である（２）残額移行価値付け処理を説明する。
【００６４】
（１）基本制御処理
前述したように、ここでは、図６及び図７を用いて、実施例１に係るＣＲユニット３０の基本制御処理を説明する。図６及び図７は、実施例１に係るＣＲユニット３０の基本制御処理の手順を示すフローチャートである。この「基本制御処理」は、ＣＲユニット３０の電源がＯＮ状態である限り、再帰的に行われる処理である。
【００６５】
図６に示すように、紙幣投入口３０８より紙幣が挿入されると（ステップＳ６０１肯定）、搬送／繰出機構部３７は、カード収納部３６に収納された内蔵のプリペイドカードを１枚目のプリペイドカードとしてＣ／Ｒ３５に繰り出し、玉貸し処理部３９ａは、ＢＶユニット３４にて判別された挿入紙幣の金額を当該プリペイドカードに価値付けた後に（ステップＳ６０２）、この１枚目のプリペイドカードをカード収納部３６に収納し直すとともに、該プリペイドカードに価値付けた金額を７ＳＥＧ表示部３０４に表示させる（ステップＳ６０３）。なお、ここで言う「価値付け」とは、内蔵のプリペイドカードのプリペイドカードＩＤ及び挿入紙幣の金額をプリペイドカード管理Ｔ／Ｃ１０に通知し、プリペイドカード管理Ｔ／Ｃ１０にて当該プリペイドカードＩＤに挿入金額を対応付けて記憶させる処理を指す。また、当然のことながら、挿入紙幣が偽造紙幣である場合には、かかる「価値付け処理」は行われることなく、挿入紙幣は返却される。
【００６６】
この場合、当該プリペイドカードの残金額が「０」であることはないので（ステップＳ６０４肯定）、玉貸し処理部３９ａは、玉貸し操作が行われるのを待機する貸出操作受付待機状態に移行する（ステップＳ６０５）。
【００６７】
また、カード挿入口３０９より１枚目のプリペイドカードが挿入されると（ステップＳ６０６肯定）、玉貸し処理部３９ａは、挿入されたプリペイドカードのプリペイドカードＩＤに対応する残金額をプリペイドカード管理Ｔ／Ｃ１０に問合せ（ステップＳ６０７）、この１枚目のプリペイドカードをカード収納部３６に収納するとともに、先の問合せにより得られた残金額７ＳＥＧ表示部３０４に表示させる（ステップＳ６０３）。
【００６８】
このとき、当該プリペイドカードの残金額が「０」でなければ（ステップＳ６０４肯定）、玉貸し処理部３９ａは、玉貸し操作が行われるのを待機する貸出操作受付待機状態に移行し（ステップＳ６０５）、また、当該プリペイドカードの残度数が「０」であれば（ステップＳ６０４否定）、この１枚目のプリペイドカードを発行用カードとしてそのまま格納し（ステップＳ６０８）、処理を終了する。
【００６９】
ここで、貸出ボタン３０６の押下操作を受け付けた場合、すなわち玉貸し操作を受け付けた場合（ステップＳ６０５肯定）には、玉貸し処理部３９ａは、１枚目のプリペイドカードの残金額を所定金額「１０５０円」分について減算するようにプリペイドカード管理Ｔ／Ｃ１０に指示し、この度数減算が完了した後にＣＲパチンコ機４０に所定金額分のパチンコ玉「２５０個」を投出するように指示する「玉貸し処理」を行う（ステップＳ６０９）。
【００７０】
このとき、挿入中のプリペイドカードの残金額が「０」になれば（ステップＳ６０４否定）、この１枚目のプリペイドカードを発行用カードとしてそのまま格納し（ステップＳ６０８）、処理を終了する。また、挿入中のプリペイドカードの残金額が「０」でなければ（ステップＳ６０４肯定）、貸出操作受付待機状態に再度移行する（ステップＳ６０５）。
【００７１】
また、返却ボタン３０７の押下操作を受け付けた場合、すなわちプリペイドカードの返却操作を受け付けた場合（ステップＳ６１０肯定）に、玉貸し処理部３９ａは、搬送／繰出機構部３７に対してプリペイドカードの返却指示を行って当該プリペイドカードをカード挿入口３０９に繰出（排出）させ（ステップＳ６１１）、処理を終了する。
【００７２】
一方、図７に示すように、カード収納部３６にて残額が存在する１枚目のプリペイドカードが既に保持されている状態で、新たに２枚目のプリペイドカードの挿入操作を受け付けた場合（ステップＳ６１２肯定）に、閾値可否判定部３９ｂは、１枚目のプリペイドカードの残金額が記憶部３８に記憶された設定値情報３８ａ、たとえば設定値「１０５円」未満であるか否かを判定する（ステップＳ６１３）。
【００７３】
このとき、１枚目のプリペイドカードの残金額が「１０５円」未満であると判定された場合には、記録媒体種別判定部３９ｃは、１枚目のプリペイドカードのプリペイドカードＩＤが会員管理Ｔ／Ｃ１５に登録されているか否かをさらに判定する（ステップＳ６１４）。
【００７４】
ここで、１枚目のプリペイドカードのプリペイドカードＩＤが会員管理Ｔ／Ｃ１５に登録されていないと判定された場合（ステップＳ６１３肯定かつステップＳ６１４肯定）に、制御部３９は、カード収納部３６に収納されたカード収納枚数（１枚目のプリペイドカードを含む）が上限枚数であるか否かを判定し、その結果、上限枚数に満たない場合（ステップＳ６１５否定）には、搬送／繰出機構部３７及び残額移行価値付け部３９ｄは、相互に協働して後述する『残額移行価値付け処理』を行い（ステップＳ６１６）、玉貸し操作が行われるのを待機する貸出操作受付待機状態に移行する（ステップＳ６０５）。
【００７５】
また、カード収納枚数が上限枚数である場合（ステップＳ６１５肯定）であっても、記録媒体種別判定部３９ｃによって２枚目のプリペイドカードのプリペイドカードＩＤが会員管理Ｔ／Ｃ１５に登録されていると判定された場合（ステップＳ６１７肯定）には、『残額移行価値付け処理』を行い（ステップＳ６１６）、玉貸し操作が行われるのを待機する貸出操作受付待機状態に移行する（ステップＳ６０５）。なお、２枚目のプリペイドカードのプリペイドカードＩＤが会員管理Ｔ／Ｃ１５に登録されていない場合（ステップＳ６１７否定）には、２枚目のプリペイドカードをカード挿入口３０９からそのまま返却（排出）し（ステップＳ６１８）、玉貸し操作が行われるのを待機する貸出操作受付待機状態に移行する（ステップＳ６０５）。
【００７６】
このように、１枚目のプリペイドカードがカード収納部３６に収納された時点でカード収納枚数が上限枚数に達していたとしても、２枚目のプリペイドカードが会員カードである場合には、そのまま『残額移行価値付け処理』を行うことができる。何故ならば、会員カード（２枚目のプリペイドカード）は必ず持ち帰られるため、カード収納部３６に上限枚数を超えてカードを収納する事態が起こりえないからである。これにより、１枚目のプリペイドカードの残金額が後から挿入された会員カードに移行価値付けすることができ、上限枚数ぎりぎりまで残額移行価値付けを行うことが可能になる。
【００７７】
また、１枚目のプリペイドカードの残金額が「１０５円」以上であると判定されるか、もしくは１枚目のプリペイドカードのプリペイドカードＩＤが会員管理Ｔ／Ｃ１５に登録されていると判定された場合（ステップＳ６１３否定又はステップＳ６１４否定）には、搬送／繰出機構部３７は、図５−１に示すように、２枚目のプリペイドカードをカード挿入口３０９からそのまま返却（排出）し（ステップＳ６１８）、玉貸し操作が行われるのを待機する貸出操作受付待機状態に移行する（ステップＳ６０５）。
【００７８】
（２）残額移行価値付け処理
次に、図８を用いて、実施例１に係るＣＲユニット３０の残額移行価値付け処理を説明する。図８は、実施例１に係るＣＲユニット３０の残額移行価値付け処理の手順を示すフローチャートである。この「残額移行価値付け処理」は、上記したステップＳ６１２肯定、ステップＳ６１３肯定、ステップＳ６１４肯定かつステップＳ６１５否定である場合、或いは、上記したステップＳ６１２肯定、ステップＳ６１３肯定、ステップＳ６１４肯定、ステップＳ６１５肯定かつステップＳ６１７肯定である場合に行われる。
【００７９】
同図に示すように、残額移行価値付け部３９ｄは、１枚目のプリペイドカードのプリペイドカードＩＤに対応する残金額を２枚目のプリペイドカードのプリペイドカードＩＤに対応する残金額に合算して移行するようにプリペイドカード管理Ｔ／Ｃ１０に依頼する（ステップＳ８０１）。
【００８０】
続いて、搬送／繰出機構部３７は、図５−２に示すように、２枚目のプリペイドカードをカード収納部３６に搬送（収納）する（ステップＳ８０２）。なお、この時、カード収納部３６のカード収納枚数が上限枚数であり、かつ２枚目のプリペイドカードが会員カードであった時（ステップＳ６１５肯定かつステップＳ６１７肯定）にはカード収納部３６に収納不能であるので、２枚目のプリペイドカードは返却ボタン３０７が押下されるまでＣ／Ｒ３５に保持されることになる。
【００８１】
その後、プリペイドカード管理Ｔ／Ｃ１０から残額移行完了通知を受け付けると、制御部３９は、合算後の残金額を７ＳＥＧ表示部３０４に表示させ（ステップＳ８０３）、処理を終了する。
【００８２】
上述してきたように、本実施例１に係るＣＲユニット３０によれば、１枚目のプリペイドカードの残金額が所定値未満である場合には、１枚目のプリペイドカードの残金額を２枚目のプリペイドカードに合算して移行する価値付けを行い、２枚目のプリペイドカードをカード収納部３６に受け入れるように構成したので、２枚目のプリペイドカードの挿入操作を簡便にすることができ、遊技客の利便性を向上させることが可能である。
【００８３】
さらに、本実施例１に係るＣＲユニット３０によれば、１枚目のプリペイドカードのカード種別が「会員カード」ではない場合にしか、１枚目のプリペイドカードの残金額を２枚目のプリペイドカードに合算して移行する価値付けを行わないように構成したので、１枚目のプリペイドカードが「会員カード」である場合に「会員カード」がカード収納部３６に回収される事態を防止することができ、会員カードの紛失という不利益を伴うことなく、遊技客の利便性を向上させることが可能である。
【実施例２】
【００８４】
さて、これまで本発明の実施例について説明したが、本発明は上述した実施例以外にも、種々の異なる形態にて実施されてよいものである。そこで、以下では、本発明に含まれる他の実施例を説明する。
【００８５】
（１）１枚目のプリペイドカードの残額の取扱い
上記した実施例１では、２枚目のプリペイドカードを受け入れた場合に、１枚目のプリペイドカードの残金額を２枚目のプリペイドカードの残金額に一義的に合算することとしたが、本発明はこれに限定されることなく、１枚目のプリペイドカードの残金額は遊技店が回収するようにしてもよい。
【００８６】
例えば、残金額が「１０５円」未満である１枚目のプリペイドカードをカード収納部３６に収納してから所定期間（例えば、「１０分」）以上経過した場合には、その残金額を遊技店の売上に計上し、当該プリペイドカードのプリペイドカードＩＤに対応する残金額を「０」に更新するようにＣＲユニット３０を構成してもよい。
【００８７】
すなわち、これによって、遊技客が端数金額もしくはそれに準ずる小額が残っているプリペイドカードを放棄した場合に、そのプリペイドカードの残金額を回収するとともに、カード自体をカード収納部３６に回収することができ、空き台の回収整理を効率良く行うことが可能になる。
【００８８】
また、本発明では、プリペイドカード管理Ｔ／Ｃ１０の許可通知を得た後に初めて１枚目のプリペイドカードの残金額を２枚目のプリペイドカードに残金額を合算するように構成したり、また、プリペイドカード管理Ｔ／Ｃ１０にて１枚目のプリペイドカードの残金額の取扱いを決定するようにしてもよい。
【００８９】
すなわち、これによって、遊技店の管理者などが１枚目及び２枚目のプリペイドカードの保持者が同一人物であることを確認してから、プリペイドカードの残額移行を許可したり、また、１枚目及び２枚目のプリペイドカードの保持者がそれぞれ違う場合には、２枚目のプリペイドカードの受け入れは許可するが１枚目のプリペイドカードの残金額を遊技店に回収するというように、プリペイドカードの残額移行を多面的に行うことできる。
【００９０】
（２）設定値の配信
また、上記した実施例１では、閾値可否判定部３９ｂが１枚目のプリペイドカードの残金額と比較する設定値として、ＣＲパチンコ機４０の玉投出機構における最小投出数に相当する金額を用いることとしたが、本発明はこれに限定されるものではなく、他の設定値を用いる場合でも本発明を同様に適用することができる。
【００９１】
例えば、プリペイドカード管理Ｔ／Ｃ１０にて、ＣＲパチンコ機４０の玉投出機構における最小投出数に相当する金額「１０５円」、カード精算機６５にて取扱う最小単位の貨幣の金額（例えば、「５００円」）や所定の小額貨幣の金額（例えば、「１００円」）をさらに設定値として記憶管理しておき、このようにして記憶管理した設定値のうちいずれか１つの設定値を自動または手動で選択し、該選択した設定値をＣＲユニット３０の起動時や遊技店の設備改変時などの任意の契機に配信し、一方、ＣＲユニット３０では、配信を受け付けた設定値を記憶部３８に記憶しておき、閾値可否判定手段が１枚目のプリペイドカードの残金額と比較する比較値として用いるように、プリペイドカードＴ／Ｃ１０及びＣＲユニット３０を含む遊技媒体貸出システムとして構成してもよい。
【００９２】
この例によれば、ＣＲパチンコ機４０の玉投出機構にて投出不可能な金額を残額移行により救済するように設定値を定めたり、また、遊技店内に配設されるカード精算機６５が「５００円」未満の硬貨を取扱わず、プリペイドカードの残金額が精算できない場合に、プリペイドカードの精算に代えてプリペイドカードの残額移行を行うことができるように設定値を定めたり、或いは、遊技客の利用意欲を喚起しにくい小額貨幣未満の金額を残額移行により救済するように設定値を定めたりすることができる。つまり、店内設備や客層などの遊技店の特性に応じてプリペイドカードの受入条件を適切に変更することができ、遊技店の特性に適合したプリペイドカードの残額移行を行うことが可能になる。
【００９３】
（３）その他
例えば、上記の実施例１では、消費税の税率を「５％」とした場合の実施例について説明したが、本発明はこれに限定されるものではなく、消費税の税率が任意の税率である場合にも同様に適用することができる。
【００９４】
なお、上記の実施例１では、本発明をパチンコ遊技を対象とする遊技システムに適用することとしたが、本発明はこれに限定されるものではなく、パチスロ遊技を対象として含めた遊技システム、或いはパチスロ遊技のみを対象とする遊技システムであっても本発明を同様に適用することができる。
【００９５】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００９７】
以上のように、本発明に係る遊技媒体貸出機、遊技媒体貸出システム及び遊技媒体貸出機に用いる残額移行方法は、新たな遊技用記録媒体（第２の遊技用記録媒体）の挿入操作を簡便にし、もって遊技客の利便性を向上させることができる遊技媒体貸出機、遊技媒体貸出システム及び遊技媒体貸出機に用いる残額移行方法に適している。
【図面の簡単な説明】
【００９８】
【図１】実施例１に係る遊技システム１のシステム構成を示すシステム構成図である。
【図２】実施例１に係るＣＲユニット３０の特徴を説明するための概念図である。
【図３】実施例１に係るＣＲユニット３０及びＣＲパチンコ機４０の外観を示した正面図である。
【図４】実施例１に係るＣＲユニット３０の内部構成を示すブロック図である。
【図５−１】２枚目のプリペイドカードの繰出（排出）制御を説明するための説明図である。
【図５−２】２枚目のプリペイドカードの搬送（受入）制御を説明するための説明図である。
【図６】実施例１に係るＣＲユニット３０の基本制御処理１の手順を示すフローチャートである。
【図７】実施例１に係るＣＲユニット３０の基本制御処理２の手順を示すフローチャートである。
【図８】実施例１に係るＣＲユニット３０の残額移行価値付け処理の手順を示すフローチャートである。
【符号の説明】
【００９９】
１    遊技システム
１０    プリペイドカード管理Ｔ／Ｃ
１５    会員管理Ｔ／Ｃ
２０    島コントローラ
３０    ＣＲユニット（カード処理ユニット）
３１    操作部
３２    表示部
３３    通信制御ＩＦ部
３４    ＢＶユニット部
３５    Ｃ／Ｒ（カードリーダ）
３６    カード収納部
３７    搬送／繰出機構部
３８    記憶部
３９    制御部
３９ａ  玉貸し処理部
３９ｂ  閾値可否判定部
３９ｃ  記録媒体種別判定部
３９ｄ  残額移行価値付け部
４０    ＣＲパチンコ機
６０    カード発行機
６５    カード精算機
【図１】
2008279091.tif 000003
【図２】
2008279091.tif 000004
【図３】
2008279091.tif 000005
【図４】
2008279091.tif 000006
【図５−１】
2008279091.tif 000007
【図５−２】
2008279091.tif 000008
【図６】
2008279091.tif 000009
【図７】
2008279091.tif 000010
【図８】
2008279091.tif 000011